(57)【要約】【課題】医師による患者の診察に有用な分析結果を提供することを可能とする分析結果提供システム、検体分析システム、分析結果提供装置、検体分析結果の提供方法、及びコンピュータプログラムを提供する。【解決手段】  検体分析装置４，５，６によって分析結果が得られると、検査情報管理装置２が分析結果のバリデートを行う。検査情報管理装置２は、バリデートされた項目の分析結果の患者への提供を許可し、バリデートされていない項目の分析結果の患者への提供を許可しない。検査情報管理装置２は、患者への提供が許可された分析結果を含む電子メールを作成し、当該電子メールを患者の携帯端末のメールアドレス宛に送信する。【選択図】  図１
2013210937.tif 000002
【特許請求の範囲】
【請求項１】
被験者から採取された検体を分析する検体分析部と、
検体分析部による分析結果を承認する承認手段と、
前記被験者から採取された検体の分析結果が前記承認手段により承認された場合に、前記分析結果を提供するための電子メールを送信する電子メール送信手段と、
前記電子メール送信手段によって送信された電子メールを受信し、電子メールの内容を表示することが可能な、被験者が携行するための携帯端末と、
を備える、
分析結果提供システム。
【請求項２】
被験者から採取された検体を分析する検体分析部と、
検体分析部による分析結果を承認する承認手段と、
前記被験者から採取された検体の分析結果が前記承認手段により承認された場合に、被験者が携行するための携帯端末宛に、前記分析結果を提供するための電子メールを送信する電子メール送信手段と、
を備える、
検体分析システム。
【請求項３】
被験者から採取された検体の分析結果を取得する分析結果取得手段と、
前記分析結果取得手段により取得された分析結果を承認する承認手段と、
前記被験者から採取された検体の分析結果が前記承認手段により承認された場合に、被験者が携行するための携帯端末宛てに、前記分析結果を提供するための電子メールを送信する電子メール送信手段と、
を備える、
分析結果提供装置。
【請求項４】
被験者が携行するための携帯端末から送信された、分析結果を要求する電子メールを受信する電子メール受信手段をさらに備え、
前記電子メール送信手段は、前記分析結果を要求するメールが前記電子メール受信手段により受信された場合に、前記携帯端末宛てに、前記分析結果を提供するための電子メールを送信するように構成されている、
請求項３に記載の分析結果提供装置。
【請求項５】
前記承認手段は、前記分析結果を要求するメールが前記電子メール受信手段により受信された場合に、前記電子メールの送信元の被験者から採取された検体の分析結果を承認するように構成されている、
請求項４に記載の分析結果提供装置。
【請求項６】
前記分析結果取得手段は、被験者から採取された検体の複数の検体分析装置による分析結果のそれぞれを取得するように構成されており、
前記電子メール送信手段は、前記複数の検体分析装置による分析結果のそれぞれが前記承認手段により承認された場合に、前記携帯端末宛てに、前記複数の検体分析装置による分析結果のそれぞれを提供するための前記電子メールを送信するように構成されている、
請求項３乃至５の何れか一項に記載の分析結果提供装置。
【請求項７】
前記分析結果取得手段は、複数の項目のそれぞれについての分析結果を含む検体の分析結果を取得可能であり、
前記承認手段は、前記検体分析部による分析結果を項目毎に承認可能であり、
前記電子メール送信手段は、一部の項目のみについての分析結果が前記承認手段により承認された場合に、前記携帯端末宛てに、前記一部の項目についての分析結果を提供するための電子メールを送信するように構成されている、
請求項３乃至６の何れか一項に記載の分析結果提供装置。
【請求項８】
前記電子メール送信手段は、前記承認手段により一部の項目のみについての分析結果が承認された場合に、前記一部の項目のみについての分析結果を提供するための前記電子メールを送信するように構成されている、
請求項７に記載の分析結果提供装置。
【請求項９】
前記承認手段により一部の項目についての分析結果が承認され、他の項目についての分析結果が承認されなかった場合に、前記他の項目についての分析結果をさらに承認するための第２承認手段をさらに備え、
前記電子メール送信手段は、前記第２承認手段により前記他の項目についての分析結果が承認された場合に、前記他の項目についての分析結果を提供するための第２電子メールを送信し、前記第２承認手段により前記他の項目についての分析結果が承認されなかった場合に、前記他の項目についての分析結果を提供するための第２電子メールを送信しないように構成されている、
請求項８に記載の分析結果提供装置。
【請求項１０】
前記電子メール送信手段は、前記承認手段により承認された前記一部の項目と、前記第２承認手段により承認された前記他の項目との全てについての分析結果を提供するための前記第２電子メールを送信するように構成されている、
請求項９に記載の分析結果提供装置。
【請求項１１】
前記承認手段は、前記分析結果取得手段により取得された分析結果が所定の信頼性判定条件に合致するか否かを項目毎に判定し、前記信頼性判定条件に合致する項目の分析結果を承認し、前記信頼性判定条件に合致しない項目の分析結果を承認しないように構成されている、
請求項７乃至１０の何れか一項に記載の分析結果提供装置。
【請求項１２】
前記第２承認手段は、オペレータから分析結果の承認指示を項目毎に受け付け、オペレータから承認指示を受け付けた項目の分析結果を承認し、オペレータから承認指示を受け付けない項目の分析結果を承認しないように構成されている、
請求項９又は１０に記載の分析結果提供装置。
【請求項１３】
前記承認手段は、前記分析結果取得手段により取得された分析結果が所定の信頼性判定条件に合致するか否かを判定し、分析結果が前記信頼性判定条件に合致する場合に、前記分析結果を承認し、分析結果が前記信頼性判定条件に合致しない場合に、前記分析結果を承認しないように構成されている、
請求項３乃至６の何れか一項に記載の分析結果提供装置。
【請求項１４】
前記承認手段は、オペレータから分析結果の承認指示を受け付け、オペレータから承認指示を受け付けた分析結果を承認し、オペレータから承認指示を受け付けない分析結果を承認しないように構成されている、
請求項３乃至６の何れか一項に記載の分析結果提供装置。
【請求項１５】
前記電子メール送信手段は、分析結果が前記承認手段により承認された場合に、前記携帯端末宛てに、前記被験者から採取された検体の分析結果を含む前記電子メールを送信するように構成されている、
請求項３乃至１４の何れか一項に記載の分析結果提供装置。
【請求項１６】
前記電子メール送信手段は、分析結果が前記承認手段により承認された場合に、前記携帯端末宛てに、分析結果の正常範囲情報をさらに含む前記電子メールを送信するように構成されている、
請求項１５に記載の分析結果提供装置。
【請求項１７】
前記電子メール送信手段は、分析結果が前記承認手段により承認された場合に、前記携帯端末宛てに、分析結果を説明する説明情報をさらに含む前記電子メールを送信するように構成されている、
請求項１５又は１６に記載の分析結果提供装置。
【請求項１８】
分析結果が前記承認手段により承認された場合に、前記携帯端末からアクセス可能な記憶領域に、承認された前記分析結果を記憶させる記憶手段をさらに備え、
前記電子メール送信手段は、前記携帯端末宛てに、前記記憶手段によって前記分析結果が記憶された前記記憶領域にアクセスするための情報を含む前記電子メールを送信するように構成されている、
請求項３乃至１４の何れか一項に記載の分析結果提供装置。
【請求項１９】
被験者から採取された検体を分析するステップと、
前記分析ステップにより取得された分析結果を承認する承認ステップと、
前記被験者から採取された検体の分析結果が前記承認手段により承認された場合に、被験者が携行するための携帯端末宛てに、前記分析結果を提供するための電子メールを送信するステップと、
被験者が前記携帯端末により前記電子メールを受信するステップと、
を含む、
検体分析結果の提供方法。
【請求項２０】
電子メール送信可能なコンピュータを、
被験者から採取された検体の分析結果を取得する分析結果取得手段、
前記分析結果取得手段により取得された分析結果を承認する承認手段、及び
前記被験者から採取された検体の分析結果が前記承認手段により承認された場合に、被験者が携行するための携帯端末宛てに、前記分析結果を提供するための電子メールを送信する電子メール送信手段、
として機能させるためのコンピュータプログラム。
【発明の詳細な説明】
【技術分野】
【０００１】
本発明は、患者等の被験者から採取された血液又は尿等の検体を分析した結果を患者等に提供するための分析結果提供システム、検体を分析するための検体分析システム、分析結果提供装置、検体分析結果の提供方法、及びコンピュータプログラムに関する。
【背景技術】
【０００２】
病院においては、患者から採取された血液又は尿等の検体を自動分析装置により分析することで、当該検体を検査することが行われている。検体の分析結果は、医師に提供され、医師はこの分析結果に基づいて患者の診察を行う。検査室等の自動分析装置の設置場所から医師の診療室までは遠距離であることが多く、設備が整った病院では、病院内に敷設された院内ネットワークを通じて通信により分析結果の医師への提供が行われている。
【０００３】
ところで、上記のような院内ネットワークシステムの構築には非常に多額の費用がかかるため、院内ネットワークシステムを有しない病院もある。例えば一部の新興国における病院では、検査室において自動分析装置による分析結果を用紙に印刷し、当該用紙を患者が受け取って、医師まで持参することが行われている。
【０００４】
特許文献１には、患者から採取された試料の血液を試料採取用ストリップに滴化し、試料採取ストリップを試料採取器に挿入し、試料を化学的に準備した後、その試料を写真撮影し、試料の写真を画像解析することで分析結果を得ることが開示されている。特許文献１では、得られた分析結果が患者及び医療の権威者に自動的に送信されるようになっている。
【先行技術文献】
【特許文献】
【０００５】
【特許文献１】特表２００９−５２９６６９号公報
【発明の概要】
【発明が解決しようとする課題】
【０００６】
自動分析装置に故障又は異常等が発生した場合、検体の分析が正常に行われず、分析結果が得られたとしても正確な分析結果ではないことがある。しかしながら、上述した特許文献１に開示されている方法にあっては、試料採取器によって得られた分析結果は、それが正確か否かを問わず患者及び医療の権威者に送信されることになる。したがって、かかる分析結果からは医師が適切に患者の診察を行うことができず、上記のように用紙によって分析結果の授受を行っている病院において、かかる方法を採用することはできない。
【０００７】
本発明は斯かる事情に鑑みてなされたものであり、その主たる目的は、医師による患者（被験者）の診察に有用な分析結果を提供することを可能とする分析結果提供システム、検体分析システム、分析結果提供装置、検体分析結果の提供方法、及びコンピュータプログラムを提供することを目的とする。
【課題を解決するための手段】
【０００８】
上述した課題を解決するために、本発明の一の態様の分析結果提供システムは、被験者から採取された検体を分析する検体分析部と、検体分析部による分析結果を承認する承認手段と、前記被験者から採取された検体の分析結果が前記承認手段により承認された場合に、前記分析結果を提供するための電子メールを送信する電子メール送信手段と、前記電子メール送信手段によって送信された電子メールを受信し、電子メールの内容を表示することが可能な、被験者が携行するための携帯端末と、を備える。
【０００９】
これにより、分析結果が承認された場合にのみ、被験者が携行するための携帯端末に電子メールが送信される。被験者は、この電子メールを利用することで分析結果の提供を受けることができる。
【００１０】
また、本発明の一の態様の検体分析システムは、被験者から採取された検体を分析する検体分析部と、検体分析部による分析結果を承認する承認手段と、前記被験者から採取された検体の分析結果が前記承認手段により承認された場合に、被験者が携行するための携帯端末宛に、前記分析結果を提供するための電子メールを送信する電子メール送信手段と、を備える。
【００１１】
また、本発明の一の態様の分析結果提供装置は、被験者から採取された検体の分析結果を取得する分析結果取得手段と、前記分析結果取得手段により取得された分析結果を承認する承認手段と、前記被験者から採取された検体の分析結果が前記承認手段により承認された場合に、被験者が携行するための携帯端末宛てに、前記分析結果を提供するための電子メールを送信する電子メール送信手段と、を備える。
【００１２】
この態様において、前記分析結果提供装置は、被験者が携行するための携帯端末から送信された、分析結果を要求する電子メールを受信する電子メール受信手段をさらに備え、前記電子メール送信手段は、前記分析結果を要求するメールが前記電子メール受信手段により受信された場合に、前記携帯端末宛てに、前記分析結果を提供するための電子メールを送信するように構成されていてもよい。これにより、被験者は、医師の診察を受ける前等、分析結果が必要なときに、分析結果を要求する電子メールを送信すれば、分析結果の提供を受けることができる。
【００１３】
この態様において、前記承認手段は、前記分析結果を要求するメールが前記電子メール受信手段により受信された場合に、前記電子メールの送信元の被験者から採取された検体の分析結果を承認するように構成されていてもよい。
【００１４】
この態様において、前記分析結果取得手段は、被験者から採取された検体の複数の検体分析装置による分析結果のそれぞれを取得するように構成されており、前記電子メール送信手段は、前記複数の検体分析装置による分析結果のそれぞれが前記承認手段により承認された場合に、前記携帯端末宛てに、前記複数の検体分析装置による分析結果のそれぞれを提供するための前記電子メールを送信するように構成されていてもよい。これにより、被験者は、複数の検体分析装置による分析結果の提供をまとめて受けることができる。
【００１５】
この態様において、前記分析結果取得手段は、複数の項目のそれぞれについての分析結果を含む検体の分析結果を取得可能であり、前記承認手段は、前記検体分析部による分析結果を項目毎に承認可能であり、前記電子メール送信手段は、一部の項目のみについての分析結果が前記承認手段により承認された場合に、前記携帯端末宛てに、前記一部の項目についての分析結果を提供するための電子メールを送信するように構成されていてもよい。これにより、複数の項目のうちの一部についてしか分析結果が承認されなかった場合に、分析結果全てが提供されなくなることが防止され、許可された項目についての分析結果を被験者に提供することができる。このため、医師は、提供された一部の項目の分析結果を診察に利用することができる。
【００１６】
この態様において、前記電子メール送信手段は、前記承認手段により一部の項目のみについての分析結果が承認された場合に、前記一部の項目のみについての分析結果を提供するための前記電子メールを送信するように構成されていてもよい。承認された分析結果は信頼性が高く、医師の診察に有用なものである。したがって、上記のような構成とすることにより、医師の診察に有用な一部の項目のみについての分析結果を被験者に提供することが可能となる。
【００１７】
この態様において、前記分析結果提供装置は、前記承認手段により一部の項目についての分析結果が承認され、他の項目についての分析結果が承認されなかった場合に、前記他の項目についての分析結果をさらに承認するための第２承認手段をさらに備え、前記電子メール送信手段は、前記第２承認手段により前記他の項目についての分析結果が承認された場合に、前記他の項目についての分析結果を提供するための第２電子メールを送信し、前記第２承認手段により前記他の項目についての分析結果が承認されなかった場合に、前記他の項目についての分析結果を提供するための第２電子メールを送信しないように構成されていてもよい。これにより、一度承認されなかった項目の分析結果が後に承認された場合に、新たに承認された項目の分析結果を被験者に提供することができる。このため、医師は以前に提供された項目の分析結果と、新たに提供された項目の分析結果とを診察に利用することができる。
【００１８】
この態様において、前記電子メール送信手段は、前記承認手段により承認された前記一部の項目と、前記第２承認手段により承認された前記他の項目との全てについての分析結果を提供するための前記第２電子メールを送信するように構成されていてもよい。これにより、携帯端末で第２電子メールを受信した被験者は、以前に承認された項目の分析結果及び新たに承認された項目の分析結果を合わせて受け取ることができる。
【００１９】
この態様において、前記承認手段は、前記分析結果取得手段により取得された分析結果が所定の信頼性判定条件に合致するか否かを項目毎に判定し、前記信頼性判定条件に合致する項目の分析結果を承認し、前記信頼性判定条件に合致しない項目の分析結果を承認しないように構成されていてもよい。これにより、信頼性判定条件に合致した分析結果が承認されるため、承認された分析結果は信頼性が高く、医師の診察に有用なものとすることができる。
【００２０】
この態様において、前記第２承認手段は、オペレータから分析結果の承認指示を項目毎に受け付け、オペレータから承認指示を受け付けた項目の分析結果を承認し、オペレータから承認指示を受け付けない項目の分析結果を承認しないように構成されていてもよい。これにより、オペレータが承認した信頼性の高い分析結果を被験者に提供することができ、医師は当該分析結果を被験者の診察に有効に利用することができる。
【００２１】
この態様において、前記承認手段は、前記分析結果取得手段により取得された分析結果が所定の信頼性判定条件に合致するか否かを判定し、分析結果が前記信頼性判定条件に合致する場合に、前記分析結果を承認し、分析結果が前記信頼性判定条件に合致しない場合に、前記分析結果を承認しないように構成されていてもよい。これにより、信頼性判定条件に合致した分析結果が承認されるため、承認された分析結果は信頼性が高く、医師の診察に有用なものとすることができる。
【００２２】
この態様において、前記承認手段は、オペレータから分析結果の承認指示を受け付け、オペレータから承認指示を受け付けた分析結果を承認し、オペレータから承認指示を受け付けない分析結果を承認しないように構成されていてもよい。これにより、オペレータが承認した信頼性の高い分析結果を被験者に提供することができ、医師は当該分析結果を被験者の診察に有効に利用することができる。
【００２３】
この態様において、前記電子メール送信手段は、分析結果が前記承認手段により承認された場合に、前記携帯端末宛てに、前記被験者から採取された検体の分析結果を含む前記電子メールを送信するように構成されていてもよい。これにより、被験者は当該電子メールを携帯端末により受信することで、分析結果の提供を受けることができる。
【００２４】
この態様において、前記電子メール送信手段は、分析結果が前記承認手段により承認された場合に、前記携帯端末宛てに、分析結果の正常範囲情報をさらに含む前記電子メールを送信するように構成されていてもよい。これにより、被験者は当該電子メールに含まれる正常範囲情報と分析結果とを照らし合わせることで、自分の分析結果が正常であるか否かを容易に判別することができる。
【００２５】
この態様において、前記電子メール送信手段は、分析結果が前記承認手段により承認された場合に、前記携帯端末宛てに、分析結果を説明する説明情報をさらに含む前記電子メールを送信するように構成されていてもよい。これにより、被験者は当該電子メールに含まれる説明情報を参照することで、どのような分析結果であるかを容易に知ることができる。
【００２６】
この態様において、前記分析結果提供装置は、分析結果が前記承認手段により承認された場合に、前記携帯端末からアクセス可能な記憶領域に、承認された前記分析結果を記憶させる記憶手段をさらに備え、前記電子メール送信手段は、前記携帯端末宛てに、前記記憶手段によって前記分析結果が記憶された前記記憶領域にアクセスするための情報を含む前記電子メールを送信するように構成されていてもよい。これにより、被験者は当該電子メールに含まれる情報を利用することで、記憶領域にアクセスし、分析結果の提供を受けることができる。
【００２７】
また、本発明の一の態様の検体分析結果の提供方法は、被験者から採取された検体を分析するステップと、前記分析ステップにより取得された分析結果を承認する承認ステップと、前記被験者から採取された検体の分析結果が前記承認手段により承認された場合に、被験者が携行するための携帯端末宛てに、前記分析結果を提供するための電子メールを送信するステップと、被験者が前記携帯端末により前記電子メールを受信するステップと、を含む。
【００２８】
また、本発明の一の態様のコンピュータプログラムは、電子メール送信可能なコンピュータを、被験者から採取された検体の分析結果を取得する分析結果取得手段、前記分析結果取得手段により取得された分析結果を承認する承認手段、及び前記被験者から採取された検体の分析結果が前記承認手段により承認された場合に、被験者が携行するための携帯端末宛てに、前記分析結果を提供するための電子メールを送信する電子メール送信手段、として機能させる。
【発明の効果】
【００２９】
本発明に係る分析結果提供システム、検体分析システム、分析結果提供装置、検体分析結果の提供方法、及びコンピュータプログラムによれば、医師による患者（被験者）の診察に有用な分析結果を提供することが可能となる。
【図面の簡単な説明】
【００３０】
【図１】実施の形態１に係る分析結果提供システムの構成を示す模式図。
【図２】検体分析装置の構成を示すブロック図。
【図３】情報処理ユニットの構成を示すブロック図。
【図４】実施の形態１に係る検査情報管理装置の構成を示すブロック図。
【図５】患者情報データベースの構成を示す模式図。
【図６】メールサーバの構成を示すブロック図。
【図７】実施の形態１に係る検査情報管理装置の分析結果通知処理の手順を示すフローチャート。
【図８】未バリデートリストの構成を示す模式図。
【図９】分析結果通知用の電子メールの本文の例を示す図。
【図１０】検査情報管理装置による手動バリデート処理の手順を示すフローチャート。
【図１１】分析結果表示画面の一例を示す図。
【図１２】検査情報管理装置によるリストチェック処理の手順を示すフローチャート。
【図１３】分析結果通知用の電子メールの本文の例を示す図。
【図１４】分析結果通知用の電子メールの本文の例を示す図。
【図１５】検査情報管理装置による無効データ削除処理の手順を示すフローチャート。
【図１６】分析結果の送信が完了したことを通知する電子メールの本文を示す図。
【図１７】実施の形態２に係る検体分析装置による検体分析処理の手順を示すフローチャート。
【図１８】実施の形態２に係る検査情報管理装置の分析結果通知処理の手順を示すフローチャート。
【図１９】実施の形態３に係る分析結果提供システムの構成を示す模式図。
【図２０】ウェブサーバの構成を示すブロック図。
【図２１】実施の形態３に係る検査情報管理装置の分析結果通知処理の手順を示すフローチャート。
【図２２】他の実施形態に係る分析結果提供システムの構成を示す模式図。
【発明を実施するための形態】
【００３１】
以下、本発明の好ましい実施の形態を、図面を参照しながら説明する。
【００３２】
（実施の形態１）
[分析結果提供システムの構成］
図１は、本実施の形態に係る分析結果提供システムの構成を示す模式図である。分析結果提供システム１００は、検体分析システム１０と、メールサーバ９と、携帯端末８１を主として構成される。
【００３３】
検体分析システム１０は、病院等の医療施設に敷設されており、検査情報管理装置２と、患者情報管理装置３と、検体分析装置４，５，６とを備えている。当該医療施設内にはＬＡＮ（Ｌｏｃａｌ  Ａｒｅａ  Ｎｅｔｗｏｒｋ）が敷設されており、検査情報管理装置２、患者情報管理装置３、及び検体分析装置４，５，６のそれぞれは、当該ＬＡＮに接続され、互いにデータ通信が可能である。また、院内ＬＡＮはゲートウェイ１０ａを介してインターネット７に接続されている。
【００３４】
メールサーバ９は、電気通信事業者が保有する携帯電話用のメールサーバである。かかるメールサーバ９は、前記電磁通信事業者が保有する携帯電話網８に接続されている。患者（被験者）が携行する携帯端末８１は、無線通信によって携帯電話網８と通信を行い、同じく携帯電話網８を使用可能な他の携帯端末又はメールサーバ９との間で通信が可能である。また、携帯電話網８とインターネット７とは相互接続されている。これにより、検査情報管理装置２、及び検体分析装置４，５，６はメールサーバ９との間でデータ通信が可能である。
【００３５】
＜検体分析装置４の構成＞
検体分析装置４は、多項目血球分析装置である。検体分析装置５は、血液凝固測定装置であり、検体分析装置６は、免疫分析装置である。即ち、検体分析装置４，５，６のそれぞれは互いに異なる種類の分析を行う構成である。
【００３６】
図２は、検体分析装置４の構成を示すブロック図である。検体分析装置４は、光学式フローサイトメトリー方式の多項目血球分析装置であり、血液検体に含まれる血球に関して側方散乱光強度、蛍光強度等を取得し、これらに基づいて検体中に含まれる血球を分類し、且つ、種類毎に血球数を計数し、このように分類された血球が種類毎に色分けされたスキャッタグラムを作成し、これを表示する。かかる検体分析装置４は、血液検体を測定する測定ユニット４１と、測定ユニット４１から出力された測定データを処理し、血液検体の分析結果を表示する情報処理ユニット４２とを備えている。
【００３７】
図２に示すように、測定ユニット４１は、検体分注部４１１と、測定試料調製部４１２と、光学検出部４１３と、信号処理回路４１４と、制御部４１５とを備えている。
【００３８】
検体分注部４１１は、吸引管（図示せず）を備えており、この吸引管を検体搬送装置により搬送された検体ラックの検体容器の蓋部に突き刺して、この検体容器から血液検体を吸引する。測定試料調製部４１２は、混合容器（図示せず）を備えており、検体分注部４１１により分注された血液検体、試薬及び希釈液を混合撹拌し、測定試料を調製する。
【００３９】
光学検出部４１３は、フローセル（図示せず）を備え、このフローセルに測定試料を供給することにより測定試料の細い流れを形成し、その測定試料に対して光を照射して、光学センサにより側方散乱光信号、前方散乱光信号、及び蛍光信号を取得する。これらの信号は、信号処理回路４１４へ出力される。信号処理回路４１４は、光学検出部４１３から出力される電気信号を処理する回路である。かかる信号処理回路４１４は、側方散乱光信号、前方散乱光信号、蛍光信号のピーク及びパルス幅等のパラメータを取得する。
【００４０】
制御部４１５は、ＣＰＵ及びメモリを備えている。かかる制御部４１５は、情報処理ユニット４２から与えられた分析項目にしたがって、検体分注部４１１、測定試料調製部４１２、光学検出部４１３、及び信号処理回路４１４を制御し、上記分析項目に対応する測定動作を実行させる。また、信号処理回路４１４によって得られた上記パラメータを含む測定データを情報処理ユニット４２へ送信するように構成されている。
【００４１】
次に、情報処理ユニット４２の構成について説明する。情報処理ユニット４２は、コンピュータにより構成されている。図３は、情報処理ユニット４２の構成を示すブロック図である。情報処理ユニット４２は、コンピュータ４２ａによって実現される。図３に示すように、コンピュータ４２ａは、本体４２１と、表示部４２２と、入力部４２３とを備えている。本体４２１は、ＣＰＵ４２１ａ、ＲＯＭ４２１ｂ、ＲＡＭ４２１ｃ、ハードディスク４２１ｄ、読出装置４２１ｅ、入出力インタフェース４２１ｆ、通信インタフェース４２１ｇ、及び画像出力インタフェース４２１ｈを備えており、ＣＰＵ４２１ａ、ＲＯＭ４２１ｂ、ＲＡＭ４２１ｃ、ハードディスク４２１ｄ、読出装置４２１ｅ、入出力インタフェース４２１ｆ、通信インタフェース４２１ｇ、及び画像出力インタフェース４２１ｈは、バス４２１ｊによって接続されている。
【００４２】
読出装置４２１ｅは、コンピュータを情報処理ユニット４２として機能させるためのコンピュータプログラム４２４ａを可搬型記録媒体４２４から読み出し、当該コンピュータプログラム４２４ａをハードディスク４２１ｄにインストールすることが可能である。
【００４３】
ハードディスク４２１ｄには、コンピュータを情報処理ユニット４２として機能させるためのコンピュータプログラム４２４ａがインストールされている。かかるコンピュータプログラム４２４ａをＣＰＵ４２１ａが実行することにより、コンピュータ４２ａは、情報処理ユニット４２として機能する。
【００４４】
かかる構成の情報処理ユニット４２は、検査情報管理装置２から検体測定のオーダ情報を取得する。このオーダ情報には、分析対象の検体を特定する検体ＩＤと、分析する分析項目が指定されている。
【００４５】
オーダ情報が取得されると、前記検体分注部４１１によって検体容器から検体が吸引され、前記測定試料調製部４１２により、検体と試薬とが混合され、オーダ情報において指定されている分析項目の測定試料が調製される。測定試料が調製されると、光学検出部４１３により分析項目毎に検体が測定され、信号処理回路４１４から測定データが出力される。当該測定データは、情報処理ユニット４２に与えられ、情報処理ユニット４２のＣＰＵ４２１ａが解析処理を行い、分析結果が得られる。得られた分析結果は、表示部４２２に表示され、また検査情報管理装置２へ送信される。
【００４６】
なお、検体分析装置５の構成の詳細な説明は省略するが、検体分析装置５は、検査情報管理装置２から与えられたオーダ情報において指定されている分析項目毎に、血液検体を検体容器から光学測定用のキュベットに分注し、キュベットを所定温度に加温しつつ、キュベット内に試薬を分注し、キュベット内の試料の吸光度等を測定することで、血液凝固測定を行う構成である。また、検体分析装置６の構成の詳細な説明も省略するが、検体分析装置６は、検査情報管理装置２から与えられたオーダ情報において指定されている分析項目毎に、血液検体を検体容器から光学測定用のキュベットに分注し、且つ当該キュベット内に捕捉抗体（Ｒ１試薬）及び磁性粒子（Ｒ２試薬）を分注し、検体に含まれる抗原に結合した捕捉抗体（Ｒ１試薬）に磁性粒子（Ｒ２試薬）を結合させた後に、結合（Ｂｏｕｎｄ）した抗原、捕捉抗体および磁性粒子を１次ＢＦ（Ｂｏｕｎｄ
Ｆｒｅｅ）分離用の磁石に引き寄せることにより、未反応（Ｆｒｅｅ）の捕捉抗体を含むＲ１試薬を除去する構成である。さらに、検体分析装置６は、標識抗体（Ｒ３試薬）を前記キュベット内に分注し、磁性粒子が結合した抗原と標識抗体（Ｒ３試薬）とを結合させた後に、結合（Ｂｏｕｎｄ）した磁性粒子、抗原および標識抗体を２次ＢＦ分離用の磁石に引き寄せることにより、未反応（Ｆｒｅｅ）の標識抗体を含むＲ３試薬を除去し、キュベット内に分散液（Ｒ４試薬）、及び標識抗体との反応過程で発光する発光基質（Ｒ５試薬）を添加した後、標識抗体と発光基質との反応によって生じる発光量を測定する構成である。このような工程を経て、検体分析装置６は、標識抗体に結合する検体に含まれる抗原を定量的に測定する。
【００４７】
検体分析装置５及び６もまた、分析結果が得られた場合には、当該分析結果を検査情報管理装置２へ送信する。
【００４８】
＜検査情報管理装置２の構成＞
次に、検査情報管理装置２の構成について説明する。図４は、本実施の形態に係る検査情報管理装置２の構成を示すブロック図である。検査情報管理装置２は、コンピュータ２ａによって実現される。図４に示すように、コンピュータ２ａは、本体２１と、表示部２２と、入力部２３とを備えている。本体２１は、ＣＰＵ２１ａ、ＲＯＭ２１ｂ、ＲＡＭ２１ｃ、ハードディスク２１ｄ、読出装置２１ｅ、入出力インタフェース２１ｆ、通信インタフェース２１ｇ、及び画像出力インタフェース２１ｈを備えており、ＣＰＵ２１ａ、ＲＯＭ２１ｂ、ＲＡＭ２１ｃ、ハードディスク２１ｄ、読出装置２１ｅ、入出力インタフェース２１ｆ、通信インタフェース２１ｇ、及び画像出力インタフェース２１ｈは、バス２１ｊによって接続されている。
【００４９】
読出装置２１ｅは、コンピュータを検査情報管理装置２として機能させるためのコンピュータプログラム２４ａを可搬型記録媒体２４から読み出し、当該コンピュータプログラム２４ａをハードディスク２１ｄにインストールすることが可能である。
【００５０】
ハードディスク２１ｄには、コンピュータを検査情報管理装置２として機能させるためのコンピュータプログラム２４ａがインストールされている。かかるコンピュータプログラム２４ａをＣＰＵ２１ａが実行することにより、コンピュータ２ａは、検査情報管理装置２として機能する。
【００５１】
またハードディスク２１ｄには、電子メールクライアントプログラム２４ｂがインストールされている。かかる電子メールクライアントプログラム２４ｂをＣＰＵ２１ａが実行することにより、コンピュータ２ａは、電子メールシステムのクライアントとして機能し、電子メールを送受信することが可能となる。さらに詳しくは、当該電子メールクライアントプログラム２４ｂには、医療施設のメールアドレス（以下、「分析結果通知用メールアドレス」という。）が登録されている。これにより、検査情報管理装置２は、分析結果通知用メールアドレス宛の電子メールを受信することが可能であり、また、分析結果通知用メールアドレスを差出人として電子メールを作成し、この電子メールを送信することが可能である。
【００５２】
また、ハードディスク２１ｄには、オーダ情報が登録されるオーダ情報データベースＤＢ１及び分析結果を格納するための分析結果データベースＤＢ２が設けられている。
【００５３】
＜患者情報管理装置３の構成＞
次に、患者情報管理装置３の構成について説明する。患者情報管理装置３は、コンピュータによって実現される。コンピュータの構成は、上述した検査情報管理装置を概ね同様であるので、その説明を省略する。
【００５４】
患者情報管理装置３のハードディスクには、患者情報データベースＤＢ３が設けられている。図５は、患者情報データベースＤＢ３の構成を示す模式図である。患者情報データベースＤＢ３は、当該医療施設に通院又は入院している患者の情報が格納される。患者情報データベースＤＢ３には、患者ＩＤを格納するためのフィールドと、患者の携帯端末のメールアドレスを格納するためのフィールドとを有している。ここで、患者の携帯端末のメールアドレスとは、患者が携帯端末でメールを受信可能なメールアドレスのことであり、電気通信事業者が発行した携帯端末用のメールアドレス、即ち、携帯端末でしか電子メールを送受信できないメールアドレスだけでなく、携帯端末によって電子メールを送受信可能なメールアドレスであれば、インターネットサービスプロバイダ等が発行した携帯端末以外の情報端末（例えば、パーソナルコンピュータ）によって電子メールを送受信可能なメールアドレスであってもよい。
【００５５】
＜メールサーバ９の構成＞
次に、メールサーバ９の構成について説明する。図６は、メールサーバ９の構成を示すブロック図である。メールサーバ９は、コンピュータ９ａによって実現される。図６に示すように、コンピュータ９ａは、ＣＰＵ９１ａ、ＲＯＭ９１ｂ、ＲＡＭ９１ｃ、ハードディスク９１ｄ、及び通信インタフェース９１ｇを備えており、ＣＰＵ９１ａ、ＲＯＭ９１ｂ、ＲＡＭ９１ｃ、ハードディスク９１ｄ、及び通信インタフェース９１ｇは、バス９１ｊによって接続されている。
【００５６】
ハードディスク９１ｄには、コンピュータをメールサーバ９として機能させるための電子メールサーバプログラム９４ａがインストールされている。かかる電子メールサーバプログラム９４ａをＣＰＵ９１ａが実行することにより、コンピュータ９ａは、メールサーバ９として機能する。
【００５７】
またハードディスク９１ｄには、携帯端末ユーザ毎にメールボックス９５が設けられている。各メールボックス９５は個別にメールアドレスに対応付けられており、１つのメールボックス９５には、そのメールボックス９５に対応するメールアドレス宛（つまり、そのメールボックス９５に対応するユーザの携帯端末宛）の電子メールが格納される。
【００５８】
さらに、メールサーバ９は、携帯端末から送信された電子メールを、当該電子メールの宛先のメールアドレスへ送信することが可能である。例えば、メールサーバ９は、携帯端末８１によって送信された分析結果通知用メールアドレス宛の電子メールを携帯端末８１から受信し、分析結果通知用メールアドレスへ送信することができる。これにより、当該電子メールは、検査情報管理装置２によって受信される。
【００５９】
＜携帯端末８１の構成＞
次に、携帯端末８１の構成について説明する。携帯端末８１は、電子メールクライアントの機能を有している。即ち、携帯端末８１は、携帯電話網８を通じてメールサーバ９との間で通信可能であり、メールサーバ９のハードディスク９１ｄに設けられた当該携帯端末８１用のメールボックスに格納された電子メールを受信することができる。また、携帯端末８１には表示部が設けられており、受信した電子メールの内容を表示することができる。
【００６０】
また、携帯端末８１は、電子メールを送信することも可能である。患者は携帯端末８１を操作して、電子メールを作成することができ、作成した電子メールを送信することが可能である。携帯端末８１から送信された電子メールは、メールサーバ９を介して宛先のメールアドレスへ送信される。なお、本実施の形態において、携帯端末８１は、患者個人が所有する携帯端末であってもよいし、患者が医療施設、電気通信事業者、その他の組織、又は個人から貸与又はその他の方法で提供されている携帯端末であってもよい。即ち、携帯端末８１は、患者が携行するためのものであればよく、患者の所有物であるか否かは問わない。また、医療施設等が携帯端末を患者に貸与する場合、当該携帯端末は分析結果の通知のために専ら用いられるものであってもよい。
【００６１】
[分析結果提供システムの動作］
次に、本実施の形態に係る分析結果提供システム１００の動作について説明する。
【００６２】
患者は、医師の診察を受けるために医療施設に出向き、受診に先立って採血を受ける。また、検査情報管理装置２のオーダ情報データベースＤＢ１には、当該患者の検体分析のオーダ情報が登録される。患者から採取された血液検体は、検体分析装置４，５，６が設置されている検査室へ運ばれ、検体分析装置４，５，６による分析に供される。
【００６３】
検体分析装置４，５，６による検体の分析においては、検査情報管理装置２から検体分析装置４，５，６へ患者のオーダ情報が送信される。検体分析装置４，５，６は、オーダ情報を受信し、このオーダ情報において指定されている分析項目について、検体分析を行う。検体分析装置４，５，６は、分析結果が得られると、分析結果を検査情報管理装置２へ送信する。検査情報管理装置２は、分析結果を受信して、分析結果データベースＤＢ２に登録する。
【００６４】
患者が採血を受けたときに、患者には分析結果通知用メールアドレスが知らされる。また患者には、携帯端末８１から分析結果通知用メールアドレス宛に電子メールを送信すると分析結果の提供が受けられること、及び、医師による診察の前に分析結果の提供を受け、分析結果を医師に提示することが伝えられる。
【００６５】
患者は、医師の診察時刻まで待機し、その間に携帯端末８１から分析結果通知用メールアドレスへ電子メールを送信することで、分析結果の提供を要求する。当該電子メールはメールサーバ９によって、分析結果通知用メールアドレス宛に送信される。
【００６６】
＜分析結果通知処理＞
患者の携帯端末８１から送信された分析結果通知用メールアドレス宛の電子メール（以下、「分析結果通知要求メール」という。）を検査情報管理装置２が受信すると、以下に説明する分析結果通知処理が検査情報管理装置２のＣＰＵ２１ａによって実行される。図７は、本実施の形態に係る検査情報管理装置２の分析結果通知処理の手順を示すフローチャートである。検査情報管理装置２のＣＰＵ２１ａは、携帯端末８１から送信された分析結果通知要求メールを受信したか否かを判別する（ステップＳ１０１）。分析結果通知要求メールを受信しなかった場合には（ステップＳ１０１においてＮＯ）、ＣＰＵ２１ａは、ステップＳ１０１へ処理を戻し、分析結果通知要求メールの受信確認を繰り返す。これにより、検査情報管理装置２は、分析結果通知要求メールの受信を待機する。
【００６７】
検査情報管理装置２が分析結果通知要求メールを受信すると（ステップＳ１０１においてＹＥＳ）、ＣＰＵ２１ａは、当該分析結果通知要求メールの差出人のメールアドレスの照会を、患者情報管理装置３に要求する（ステップＳ１０２）。患者情報管理装置３は、患者情報データベースＤＢ３に、差出人のメールアドレス、即ち、患者の携帯端末のメールアドレスが登録されているか否かを判別し、差出人のメールアドレスの照会を行う。差出人のメールアドレスの照会結果は、患者情報管理装置３から検査情報管理装置２へと送信される。差出人のメールアドレスが患者情報データベースＤＢ３に登録されている場合には、差出人のメールアドレスの照会結果のデータに、差出人のメールアドレスに対応する患者ＩＤが含まれる。
【００６８】
差出人のメールアドレスの照会結果を受信すると、検査情報管理装置２のＣＰＵ２１ａは、受信した照会結果に基づいて、患者情報データベースＤＢ３に差出人のメールアドレスが登録されているか否かを判別する（ステップＳ１０３）。患者情報データベースＤＢ３に差出人のメールアドレスが登録されていない場合には（ステップＳ１０３においてＮＯ）、ＣＰＵ２１ａは、そのまま処理を終了する。
【００６９】
他方、患者情報データベースＤＢ３に差出人のメールアドレスが登録されている場合には（ステップＳ１０３においてＹＥＳ）、ＣＰＵ２１ａは、照会結果のデータから患者ＩＤを取得する（ステップＳ１０４）。
【００７０】
次にＣＰＵ２１ａは、取得された患者ＩＤをキーとして、分析結果データベースＤＢ２から患者の最新の分析結果を取得する（ステップＳ１０５）。このとき、分析結果データベースＤＢ２にまだ最新の分析結果が登録されていない場合には、ＣＰＵ２１ａは、検体分析装置４，５，６から分析結果が送信され、分析結果データベースＤＢ２に登録されるまで待機する。
【００７１】
患者の最新の分析結果を取得すると、ＣＰＵ２１ａは、当該患者の前回の分析結果をデータベースＤＢ２から取得する（ステップＳ１０６）。
【００７２】
次にＣＰＵ２１ａは、最新の分析結果の自動バリデート処理を実行する（ステップＳ１０７）。この処理では、分析項目毎に、分析結果が所定の信頼性条件に合致するか否かが判定される。信頼性条件に合致した項目の分析結果はバリデート（承認）され、その分析結果に対しては、承認されたか否かを示す情報であるバリデーションフラグがオンにセットされる。他方、信頼性条件に合致しなかった項目の分析結果はバリデートされず、その分析結果に対してはバリデーションフラグがオフにセットされる。
【００７３】
ＣＰＵ２１ａは、バリデートされた項目が１つでもあるか否かを判別する（ステップＳ１０８）。バリデートされた項目が１つもない場合（ステップＳ１０８においてＮＯ）、ＣＰＵ２１ａは、患者への分析結果の提供を許可せず、全ての項目を未バリデートリストに登録し（ステップＳ１０９）、処理を終了する。
【００７４】
ここで、未バリデートリストについて説明する。図８は、未バリデートリストの構成を示す模式図である。未バリデートリストＮＶは、検査情報管理装置２のハードディスク２１ｄに設けられる。この未バリデートリストＮＶは、患者ＩＤを登録するためのフィールドと、分析項目を識別するための項目ＩＤを登録するためのフィールドと、分析結果の検体測定時刻を登録するためのフィールドとを有するテーブルである。患者ＩＤを登録するためのフィールドには、ステップＳ１０４において取得された患者ＩＤが登録される。項目ＩＤを登録するためのフィールドには、自動バリデート処理においてバリデートされなかった分析項目、即ち、バリデートフラグがオフにセットされている分析項目の項目ＩＤが登録される。また、測定時刻を登録するためのフィールドには、ステップＳ１０５で取得された最新の分析結果の測定時刻が登録される。したがって、上記の場合には、分析結果に含まれる全ての分析項目が、患者ＩＤ及び測定時刻と共に未バリデートリストＮＶに登録される。
【００７５】
ステップＳ１０８において、バリデートされた項目が１つでもある場合には（ステップＳ１０８においてＹＥＳ）、ＣＰＵ２１ａは、バリデートされていない項目が１つでもあるか否かを判別する（ステップＳ１１０）。バリデートされていない項目が１つでもある場合（ステップＳ１１０においてＹＥＳ）、ＣＰＵ２１ａは、バリデートされた項目についてのみ、患者への分析結果の提供を許可し、バリデートされなかった項目については、患者への分析結果の提供を許可しない。この場合、ＣＰＵ２１ａは、最新の分析結果全体から、バリデートされた項目の分析結果のみを抽出し、患者の携帯端末のメールアドレス（即ち、差出人のメールアドレス）宛の電子メールを作成し、当該電子メールを送信する（ステップＳ１１１）。この処理では、バリデートされた項目の分析結果が本文に記述された電子メールが作成される。また、前記バリデートされた項目の前回の分析結果（以下、「前回値」という。）も前記電子メールの本文に付加される。
【００７６】
ステップＳ１１１の処理を実行した後、ＣＰＵ２１ａは、バリデートされなかった項目を未バリデートリストに登録し（ステップＳ１０９）、処理を終了する。この場合、分析結果に含まれる分析項目のうち、バリデートされなかった分析項目のみが、患者ＩＤ及び測定時刻と共に未バリデートリストＮＶに登録される。例えば、分析項目“ＡＰＴＴ”及び“ＨＣＶ”についてバリデートされなかった場合には、これらの分析項目“ＡＰＴＴ”及び“ＨＣＶ”の項目ＩＤが未バリデートリストＮＶに登録されることとなる。
【００７７】
ステップＳ１１０において、バリデートされていない項目が１つもない場合、即ち、全ての分析項目についてバリデートが行われた場合には（ステップＳ１１０においてＮＯ）、ＣＰＵ２１ａは、全分析項目について、患者への分析結果の提供を許可する。この場合、ＣＰＵ２１ａは、最新の分析結果全てを本文に付加した患者の携帯端末のメールアドレス宛の電子メールを作成し、当該電子メールを送信し（ステップＳ１１２）、処理を終了する。この処理では、全ての分析項目がバリデートされているので、全ての分析項目についての分析結果が本文に記述された電子メールが作成される。また、全分析項目の前回値も前記電子メールの本文に付加される。
【００７８】
図９は、分析結果通知用の電子メールの本文を示す図である。分析結果通知用の電子メールの本文ＰＲ１には、患者名と、患者の携帯端末のメールアドレスと、測定日とが文字情報で示される。また、最新の分析結果Ｒ１１が分析項目毎に示される。この電子メールに含まれる分析結果Ｒ１１は、自動バリデート処理においてバリデートされたものだけである。また、分析結果の正常範囲ＶＲが、分析項目毎に、各分析結果Ｒ１１の右に並べて示される。この正常範囲ＶＲは患者向けの補足情報であり、患者は正常範囲ＶＲを確認することで、自分の分析結果が正常範囲ＶＲが正常か異常か、正常であっても正常範囲の境界に近くはないか、異常である場合にはどの程度正常範囲から外れているかを知ることができる。かかる正常範囲ＶＲの更に右には、前回の測定日と、前回値Ｒ１２とが分析項目毎に示される。
【００７９】
また、かかる電子メールの本文ＰＲ１においては、分析項目の説明文ＤＳが含まれている。この説明文は患者向けの補足情報であり、患者は説明文ＤＳを読むことで、各分析項目がどのようなものであるかを知ることができる。
【００８０】
上記のような電子メールは、検査情報管理装置２から送信された後、メールサーバ９のメールボックス９５に格納される。また、メールボックス９５に格納された電子メールは、患者の携帯端末８１に送信され、携帯端末８１の表示部に電子メールの内容が表示される。これにより、患者に分析結果が提供される。
【００８１】
＜手動バリデート処理＞
上記の如き分析結果通知処理を行った後、一部又は全部の分析結果はがバリデートされず、未バリデートリストにバリデートされなかった項目ＩＤが記録される。以下の手動バリデート処理により、一部又は全部がバリデートされなかった分析結果について、オペレータが手動でバリデートを行うことが可能である。
【００８２】
図１０は、検査情報管理装置２による手動バリデート処理の手順を示すフローチャートである。オペレータは、検査情報管理装置２の入力部２３を操作することにより、検査情報管理装置２に分析結果の表示を指示することが可能である。ＣＰＵ２１ａは、かかる分析結果の表示指示を受け付けると（ステップＳ２０１）、分析結果を表示部２２に表示させる（ステップＳ２０２）。
【００８３】
図１１は、分析結果表示画面の一例を示す図である。分析結果表示画面Ｄ１には、患者の分析結果が項目毎にリスト表示される。かかる分析結果表示画面Ｄ１には、分析項目を表示するための領域Ａ１１と、分析結果の数値データを表示するための領域Ａ１２と、前回値を表示するための領域Ａ１３とが設けられている。オペレータは、患者ＩＤ又は検体ＩＤ等を検索キーとして、分析結果データベースＤＢ２から目的の分析結果を検索する等して、患者の分析結果を分析結果表示画面Ｄ１に表示させる。患者の分析結果は、領域Ａ１２に分析項目毎に表示される。これと共に、患者の前回値が分析結果データベースＤＢ３から読み出され、領域Ａ１３に分析項目毎に表示される。今回の分析結果（今回値）と前回値とは、一行が１つの分析項目に対応する表形式で表示される。また、分析結果表示画面Ｄ１には、バリデートされていることを示す情報（以下、「バリデート情報」という。）を分析項目毎に表示するための領域Ａ１０が設けられている。分析結果においてバリデーションフラグがオンにセットされている分析項目については、当該領域Ａ１０において“Ｖ”マークのバリデート情報が表示され、バリデーションフラグがオフにセットされている分析項目については、領域Ａ１０においてバリデート情報が表示されない。これにより、オペレータは分析項目毎に分析結果がバリデートされているか否かを把握することができる。
【００８４】
領域Ａ１０の各セルは、オペレータがマウスのクリック操作を行うことにより選択することが可能である。バリデート情報が表示されていないセルが選択されると、当該セルにバリデート情報が表示され、分析結果において対応する分析項目のバリデーションフラグがオンにセットされる。このようにして、オペレータは手動で分析結果のバリデートを行うことができる。
【００８５】
ＣＰＵ２１ａは、上記のようなオペレータからのバリデートの入力を受け付けたか否かを判別し（ステップＳ２０３）、入力を受け付けた場合には（ステップＳ２０３においてＹＥＳ）、該当する分析項目のバリデートフラグをオンにセットし（ステップＳ２０４）、手動バリデート処理を終了する。他方、オペレータからのバリデートの入力を受け付けなかった場合には（ステップＳ２０３においてＮＯ）、ＣＰＵ２１ａは、そのまま手動バリデート処理を終了する。
【００８６】
＜リストチェック処理＞
検査情報管理装置２は、以下に説明するリストチェック処理を定期的に実行することにより、手動バリデート処理によって新たにバリデートされた分析結果があるか否かをチェックする。
【００８７】
図１２は、検査情報管理装置２によるリストチェック処理の手順を示すフローチャートである。リストチェック処理において、まずＣＰＵ２１ａは、未バリデートリストＮＶから１つの検体ＩＤと、この検体ＩＤに対応する項目ＩＤを取得する（ステップＳ３０１）。その後、ＣＰＵ２１ａは、取得された検体ＩＤをキーとして分析結果データベースＤＢ２から分析結果（最新の分析結果）を取得し（ステップＳ３０２）、さらに当該患者の前回の分析結果をデータベースＤＢ２から取得する（ステップＳ３０３）。
【００８８】
ＣＰＵ２１ａは、ステップＳ３０２において取得された分析結果において、ステップＳ３０１で取得された項目ＩＤの分析項目のバリデーションフラグを確認する（ステップＳ３０４）。次にＣＰＵ２１ａは、当該分析結果において、未バリデートリストＮＶに登録されている全ての分析項目がバリデートされているか否かを判別する（ステップＳ３０５）。未バリデートリストＮＶに登録されている全ての分析項目がバリデートされている場合、即ち、当該分析結果においてバリデートされていない分析項目がない場合には（ステップＳ３０５においてＹＥＳ）、ＣＰＵ２１ａは、未バリデートリストＮＶに登録されている全ての項目について患者への分析結果の提供を許可する。この場合、ＣＰＵ２１ａは、最新の分析結果全てを本文に付加した電子メールを作成し、当該電子メールを、検体ＩＤに対応する患者の携帯端末のメールアドレス宛に送信する（ステップＳ３０６）。
【００８９】
図１３は、ステップＳ３０６において送信される分析結果通知用の電子メールの本文を示す図である。ステップＳ３０６の処理では、全ての分析項目がバリデートされているので、全ての分析項目についての分析結果が本文に記述された電子メールが作成される。即ち、メール本文ＰＲ２には、当該患者の検体について、検体分析装置４，５，６によって分析された全ての分析項目の分析結果Ｒ１１が掲載される。また、このメール本文ＰＲ２にも、分析結果の正常範囲ＶＲ及び前回値Ｒ１２とが分析項目毎に示され、また各分析項目の説明文ＤＳが示される。
【００９０】
また、このメール本文ＰＲ２には、“全ての分析結果が送信されました。”の文字情報からなるメッセージＭＥＳ１が含まれる。このメッセージＭＥＳ１により、患者又は医師は、今回が最後の分析結果通知用の電子メールであり、これ以降分析結果通知用の電子メールが送信されることがないことを知ることができる。このため、医師はこの電子メールによって提供された分析結果を利用して、患者の診察を行えばよいことを知ることができる。また、この電子メールにより、未リデートリストＮＶに登録されている分析項目だけでなく、全ての分析項目についての分析結果が患者に提供されることで、患者又は医師は１つの電子メールを参照するだけで、全ての分析項目についての分析結果を確認することができる。
【００９１】
上記のような分析結果通知用の電子メールが送信されると、ＣＰＵ２１ａは、未バリデートリストＮＶから当該検体ＩＤに対応するデータ（検体ＩＤ及び全項目ＩＤ）を削除し（ステップＳ３０７）、ステップＳ３１１へ処理を移す。
【００９２】
他方、未バリデートリストＮＶに登録されている分析項目のうちバリデートされていない分析項目が１つでもある場合には（ステップＳ３０５においてＮＯ）、ＣＰＵ２１ａは、未バリデートリストＮＶに登録されている分析項目のうちバリデートされた分析項目が１つでもあるか否かを判別する（ステップＳ３０８）。未バリデートリストＮＶに登録されている分析項目のうちバリデートされた分析項目が１つでもある場合には（ステップＳ３０８においてＹＥＳ）、ＣＰＵ２１ａは、未バリデートリストＮＶに登録されている項目のうち、バリデート済の項目について患者への分析結果の提供を許可し、バリデートされていない項目について患者への分析結果の提供を許可しない。この場合、ＣＰＵ２１ａは、最新の分析結果全体から、バリデート済の項目の分析結果のみを抽出し、検体ＩＤに対応する患者の携帯端末のメールアドレス宛の電子メールを作成し、当該電子メールを送信する（ステップＳ３０９）。
【００９３】
図１４は、ステップＳ３０９において送信される分析結果通知用の電子メールの本文を示す図である。ステップＳ３０９の処理では、一部の分析項目がバリデートされているので、バリデート済の分析項目についての分析結果が本文に記述された電子メールが作成される。即ち、メール本文ＰＲ３には、当該患者の検体についての最新の分析結果のうち、バリデーションフラグがオンにセットされている分析項目の分析結果Ｒ１１が掲載される。また、このメール本文ＰＲ３にも、分析結果の正常範囲ＶＲ及び前回値Ｒ１２とが分析項目毎に示され、また各分析項目の説明文ＤＳが示される。
【００９４】
また、このメール本文ＰＲ３には、“まだ送信されていない分析結果があります。”の文字情報からなるメッセージＭＥＳ２が含まれる。このメッセージＭＥＳ２により、患者又は医師は、これ以降に分析結果通知用の電子メールが送信される可能性が有ることを知ることができる。このため、医師はこの電子メールによって提供された分析結果だけでなく、後に電子メールにより追加の分析結果が提供されれば、その分析結果も利用することで、より適切な診察を行うことが可能であることを知ることができる。また、この電子メールにより、未リデートリストＮＶに登録されている分析項目だけでなく、バリデート済の全ての分析項目についての分析結果が患者に提供されることで、患者又は医師は１つの電子メールを参照するだけで、その時点において承認されている全ての分析項目についての分析結果を確認することができる。
【００９５】
上記のような分析結果通知用の電子メールが送信されると、ＣＰＵ２１ａは、未バリデートリストＮＶから当該検体ＩＤに対応するバリデート済の項目ＩＤを削除し（ステップＳ３０７）、ステップＳ３１１へ処理を移す。
【００９６】
他方、未バリデートリストＮＶに登録されている全ての分析項目がまだバリデートされていない場合には（ステップＳ３０８においてＮＯ）、ＣＰＵ２１ａは、未バリデートリストＮＶに登録されている全ての項目について患者への分析結果の提供を許可しない。この場合、ＣＰＵ２１ａは、そのままステップＳ３１１へ処理を移す。
【００９７】
ステップＳ３１１において、ＣＰＵ２１ａは、未バリデートリストＮＶに登録されている全検体ＩＤについて上記のチェックを行ったか否かを判別し（ステップＳ３１１）、まだチェックしていない検体ＩＤが残っている場合には（ステップＳ３１１においてＮＯ）、ステップＳ３０１へ処理を戻す。他方、未バリデートリストＮＶに登録されている全検体ＩＤについてチェックを行った場合には（ステップＳ３１１においてＹＥＳ）、ＣＰＵ２１ａは、リストチェック処理を終了する。
【００９８】
＜無効データ削除処理＞
多数の検体が継続して分析されると、未バリデートリストＮＶに多数のデータが登録される。一般的に医療施設においては、測定時刻から数時間以上経過した分析結果はバリデートされることがない。このため、このような分析結果についてのデータを未バリデートリストＮＶから削除しなければ、かかるデータが未バリデートリストＮＶにいつまでも残ることになる。本実施の形態に係る検査情報管理装置２は、以下に説明する無効データ削除処理を定期的に実行することにより、測定時刻から所定時間経過した無効なデータを未バリデートリストから削除する。
【００９９】
図１５は、検査情報管理装置２による無効データ削除処理の手順を示すフローチャートである。無効データ削除処理において、まずＣＰＵ２１ａは、未バリデートリストＮＶから１つの検体ＩＤに対応する測定時刻を取得する（ステップＳ４０１）。その後、ＣＰＵ２１ａは、取得された測定時刻からの経過時間が、所定の基準値を超えるか否かを判別する（ステップＳ４０２）。測定時刻からの経過時間が基準値を超える場合には（ステップＳ４０２においてＹＥＳ）、ＣＰＵ２１ａは、分析結果の送信が完了したことを通知するための電子メールを作成し、作成された電子メールを当該検体ＩＤに対応する患者の携帯端末のメールアドレス宛に送信する（ステップＳ４０３）。
【０１００】
図１６は、ステップＳ４０３において送信される電子メールの本文を示す図である。この場合、当該検体ＩＤに対応する分析結果においては、測定時刻から既に基準値以上の時間が経過している。したがって、かかる分析結果が今後バリデートされることはなく、未バリデートリストＮＶに登録されている当該検体ＩＤに対応するデータは無効とされる。そのため、ステップＳ４０３において送信される電子メールの本文ＰＲ４には、“あなたの分析結果は無効になりましたので送信されません。”の文字情報からなるメッセージＭＥＳ３が含まれる。このメッセージＭＥＳ３により、患者又は医師は、これ以降に分析結果通知用の電子メールが送信されることがないことを知ることができる。このため、医師はこれまでに患者の携帯端末が受信した電子メールによって提供された分析結果を利用して、患者の診察を行えばよいことを知ることができる。
【０１０１】
上記のような分析結果送信完了通知用の電子メールが送信されると、ＣＰＵ２１ａは、未バリデートリストＮＶから当該検体ＩＤに対応するデータを削除し（ステップＳ４０４）、ステップＳ４０５へ処理を移す。
【０１０２】
他方、測定時刻からの経過時間が基準値を超えていない場合には（ステップＳ４０２においてＮＯ）、ＣＰＵ２１ａは、そのままステップＳ４０５へ処理を移す。
【０１０３】
ステップＳ４０５において、ＣＰＵ２１ａは、未バリデートリストＮＶに登録されている全検体ＩＤについて上記のチェックを行ったか否かを判別し（ステップＳ４０５）、まだチェックしていない検体ＩＤが残っている場合には（ステップＳ４０５においてＮＯ）、ステップＳ４０１へ処理を戻す。他方、未バリデートリストＮＶに登録されている全検体ＩＤについてチェックを行った場合には（ステップＳ４０５においてＹＥＳ）、ＣＰＵ２１ａは、無効データ削除処理を終了する。
【０１０４】
（実施の形態２）
[分析結果提供システムの構成］
本実施の形態に係る分析結果提供システムの構成は、実施の形態１に係る分析結果提供システムの構成と同様であるので、同一構成要素については同一符号を付し、その説明を省略する。
【０１０５】
[分析結果提供システムの動作］
次に、本実施の形態に係る分析結果提供システム１００の動作について説明する。
【０１０６】
本実施の形態に係る分析結果提供システム１００では、検体分析装置４，５，６において自動バリデート処理が実行される。
【０１０７】
＜検体分析処理＞
ここで、検体分析装置４の検体分析処理について説明する。図１７は、本実施の形態に係る検体分析装置４による検体分析処理の手順を示すフローチャートである。検体分析が行われるときには、検査情報管理装置２から検体分析装置４へ患者のオーダ情報が送信される。検体分析装置４は、オーダ情報を受信し、このオーダ情報において指定されている分析項目について、測定ユニット４１により検体測定を行う（ステップＳ５０１）。測定ユニット４１の検体測定により得られた測定データは、情報処理ユニット４２に与えられる。
【０１０８】
情報処理ユニット４２のＣＰＵ４２１ａは、測定データを解析し、分析結果を生成する（ステップＳ５０２）。次にＣＰＵ４２１ａは、この様にして得られた分析結果に対して自動バリデート処理を実行する（ステップＳ５０３）。この自動バリデート処理は、実施の形態１において説明した自動バリデート処理と同様であるので、その説明を省略する。
【０１０９】
次にＣＰＵ４２１ａは、自動バリデートが完了した分析結果を、検査情報管理装置２へ送信し（ステップＳ５０４）、検体分析処理を終了する。
【０１１０】
＜分析結果通知処理＞
本実施の形態では、検体分析装置４，５，６から送信された分析結果を検査情報管理装置２が受信すると、以下に説明する分析結果通知処理が検査情報管理装置２のＣＰＵ２１ａにより実行される。図１８は、本実施の形態に係る検査情報管理装置２の分析結果通知処理の手順を示すフローチャートである。検査情報管理装置２のＣＰＵ２１ａは、分析結果を受信すると（ステップＳ６０１）、当該分析結果に含まれる患者ＩＤをキーとして、患者のメールアドレスの照会を、患者情報管理装置３に要求する（ステップＳ６０２）。患者情報管理装置３は、患者情報データベースＤＢ３に、患者ＩＤに対応するメールアドレス、即ち、患者の携帯端末のメールアドレスが登録されているか否かを判別し、患者のメールアドレスの照会を行う。患者のメールアドレスの照会結果は、患者情報管理装置３から検査情報管理装置２へと送信される。
【０１１１】
患者のメールアドレスの照会結果を受信すると、検査情報管理装置２のＣＰＵ２１ａは、受信した照会結果に基づいて、患者情報データベースＤＢ３に患者のメールアドレスが登録されているか否かを判別する（ステップＳ６０３）。患者情報データベースＤＢ３に患者のメールアドレスが登録されていない場合には（ステップＳ６０３においてＮＯ）、ＣＰＵ２１ａは、そのまま処理を終了する。
【０１１２】
他方、患者情報データベースＤＢ３に患者のメールアドレスが登録されている場合には（ステップＳ６０３においてＹＥＳ）、ＣＰＵ２１ａは、当該患者の前回の分析結果をデータベースＤＢ２から取得する（ステップＳ６０４）。
【０１１３】
ステップＳ６０４の処理の後、ＣＰＵ２１ａは、ステップＳ６０５〜Ｓ６０９の処理を実行し、分析結果通知処理を終了する。なお、ステップＳ６０５〜Ｓ６０９の処理は、実施の形態１において説明したステップＳ１０８〜Ｓ１１２の処理と同様であるので、その説明を省略する。
【０１１４】
本実施の形態に係る分析結果提供システム１００のその他の動作は、実施の形態１に係る分析結果提供システム１００の動作と同様であるので、その説明を省略する。
【０１１５】
以上の如く構成することにより、患者が携帯端末８１から分析結果通知要求メールを送信しなくても、検査情報管理装置２から患者の携帯端末８１に分析結果通知用の電子メールが送信され、患者に分析結果が提供される。
【０１１６】
（実施の形態３）
[分析結果提供システムの構成］
図１９は、本実施の形態に係る分析結果提供システムの構成を示す模式図である。本実施の形態に係る分析結果提供システム２００は、インターネット７に接続されたウェブサーバ２０を備える。
【０１１７】
＜ウェブサーバ２０の構成＞
図２０は、ウェブサーバ２０の構成を示すブロック図である。ウェブサーバ２０は、コンピュータ２０ａによって実現される。図２０に示すように、コンピュータ２０ａは、ＣＰＵ２０１ａ、ＲＯＭ２０１ｂ、ＲＡＭ２０１ｃ、ハードディスク２０１ｄ、及び通信インタフェース２０１ｇを備えており、ＣＰＵ２０１ａ、ＲＯＭ２０１ｂ、ＲＡＭ２０１ｃ、ハードディスク２０１ｄ、及び通信インタフェース２０１ｇは、バス２０１ｊによって接続されている。
【０１１８】
ハードディスク２０１ｄには、コンピュータをウェブサーバ２０として機能させるためのウェブサーバプログラム２０４ａがインストールされている。かかるウェブサーバプログラム２０４ａをＣＰＵ２０１ａが実行することにより、コンピュータ２０ａは、ウェブサーバ２０として機能する。
【０１１９】
またハードディスク２０１ｄには、所定の領域にＨＴＭＬドキュメントが格納される。このハードディスク２０１ｄに記憶されたＨＴＭＬドキュメントは、ＵＲＬ（Ｕｎｉｆｏｒｍ  Ｒｅｓｏｕｒｃｅ  Ｌｏｃａｔｏｒ）によってその所在を特定することができる。インターネット７に接続されたウェブクライアントにおいて当該ＵＲＬを指定することで、当該ＨＴＭＬドキュメントの内容がウェブクライアントによって表示される。
【０１２０】
また、携帯端末８１は、ウェブクライアントの機能を有している。即ち、携帯端末８１は、携帯電話網８及びインターネット７を通じて、インターネット上に存在するウェブサーバに対してＨＴＭＬドキュメントの送信を要求することができ、ウェブサーバから送信されたＨＴＭＬドキュメントを受信し、その内容を表示部に出力することが可能である。
【０１２１】
本実施の形態に係る分析結果提供システムのその他の構成は、実施の形態１に係る分析結果提供システムの構成と同様であるので、同一構成要素については同一符号を付し、その説明を省略する。
【０１２２】
[分析結果提供システムの動作］
次に、本実施の形態に係る分析結果提供システム２００の動作について説明する。本実施の形態では、検体分析装置４，５，６が検体分析を行った場合に、自動バリデート処理を実行することなく、各検体分析装置４，５，６が検査情報管理装置２へ分析結果を送信する。
【０１２３】
＜分析結果通知処理＞
本実施の形態では、検体分析装置４，５，６から送信された分析結果を検査情報管理装置２が受信すると、以下に説明する分析結果通知処理が検査情報管理装置２のＣＰＵ２１ａにより実行される。図２１は、本実施の形態に係る検査情報管理装置２の分析結果通知処理の手順を示すフローチャートである。検査情報管理装置２のＣＰＵ２１ａは、分析結果を受信すると（ステップＳ７０１）、表示部２２に分析結果を表示させる（ステップＳ７０２）。
【０１２４】
オペレータは、表示された分析結果を閲覧し、手動でバリデートを行う。ＣＰＵ２１ａは、バリデートの入力を受け付けたか否かを判別する（ステップＳ７０３）。手動バリデートは、実施の形態１において説明したものと同様であり、分析項目毎に行うことが可能である。例えば、分析項目“ＷＢＣ”及び“ＲＢＣ”をオペレータがバリデートした場合には、これらの項目のバリデートの入力がＣＰＵ２１ａに与えられ、分析結果において、項目“ＷＢＣ”及び“ＲＢＣ”のバリデーションフラグがオンにセットされる。
【０１２５】
ＣＰＵ２１ａは、ステップＳ７０３において、バリデーションの入力を受け付けた項目の分析結果については、患者への分析結果の提供を許可する。即ち、ＣＰＵ２１ａは、バリデートの入力を受け付けた場合には（ステップＳ７０３においてＹＥＳ）、患者への分析結果の提供を許可し、ステップＳ７０４へ処理を移す。他方、バリデートの入力を受け付けなかった場合には（ステップＳ７０３においてＮＯ）、ＣＰＵ２１ａは、患者への分析結果の提供を許可せず、分析結果通知処理を終了する。
【０１２６】
バリデーションの入力を受け付けた場合（ステップＳ７０３においてＹＥＳ）、ＣＰＵ２１ａは、バリデートされた分析項目の分析結果を通知対象としてハードディスク２１ｄに記憶する（ステップＳ７０４）。
【０１２７】
次に、ＣＰＵ２１ａは、当該分析結果に含まれる患者ＩＤをキーとして、患者のメールアドレスの照会を、患者情報管理装置３に要求する（ステップＳ７０５）。患者情報管理装置３は、患者情報データベースＤＢ３に、患者ＩＤに対応するメールアドレス、即ち、患者の携帯端末のメールアドレスが登録されているか否かを判別し、患者のメールアドレスの照会を行う。患者のメールアドレスの照会結果は、患者情報管理装置３から検査情報管理装置２へと送信される。
【０１２８】
患者のメールアドレスの照会結果を受信すると、検査情報管理装置２のＣＰＵ２１ａは、受信した照会結果に基づいて、患者情報データベースＤＢ３に患者のメールアドレスが登録されているか否かを判別する（ステップＳ７０６）。患者情報データベースＤＢ３に患者のメールアドレスが登録されていない場合には（ステップＳ７０６においてＮＯ）、ＣＰＵ２１ａは、そのまま処理を終了する。
【０１２９】
他方、患者情報データベースＤＢ３に患者のメールアドレスが登録されている場合には（ステップＳ７０６においてＹＥＳ）、ＣＰＵ２１ａは、当該患者の前回の分析結果をデータベースＤＢ２から取得する（ステップＳ７０７）。
【０１３０】
次にＣＰＵ２１ａは、バリデートされた分析項目の分析結果、及び前記分析項目の前回値を表示するためのＨＴＭＬドキュメントを作成し、ウェブサーバ２０に当該ＨＴＭＬドキュメントをアップロードする（ステップＳ７０８）。これにより、ウェブサーバ２０のハードディスク２０１ｄに当該ＨＴＭＬドキュメントが記憶される。
【０１３１】
さらにＣＰＵ２１ａは、ウェブサーバ２０にアップロードしたＨＴＭＬドキュメントのＵＲＬを本文に含む電子メールを作成し、患者の携帯端末のメールアドレス宛に当該電子メールを送信し（ステップＳ７０９）、処理を終了する。
【０１３２】
患者の携帯端末８１は、検査情報管理装置２から送信された電子メールを受信する。携帯端末８１には、前記ＵＲＬを含む当該電子メールの本文が表示される。患者は、表示されているＵＲＬを選択する操作を行うことで、携帯端末８１がリンク先であるウェブサーバ２０のＨＴＭＬドキュメントにアクセスすることができる。これにより、携帯端末８１の表示部に、ＨＴＭＬドキュメントの内容である分析結果及び前回値が表示される。
【０１３３】
本実施の形態に係る分析結果提供システム２００のその他の動作は、実施の形態１に係る分析結果提供システム１００の動作と同様であるので、その説明を省略する。
【０１３４】
以上の如き構成にすることにより、実施の形態１及び２に係る検体分析システムにあっては、分析結果の被験者への提供が許可された場合にのみ、被験者の携帯端末に電子メールが送信される。被験者は、この電子メールを携帯端末８１によって受信することで、分析結果の提供を受けることができる。
【０１３５】
また、実施の形態３に係る検体分析システムにあっては、分析結果の被験者への提供が許可された場合にのみ、被験者の携帯端末に電子メールが送信される。被験者は、この電子メールにおいて指定されたＵＲＬにより特定されるＨＴＭＬドキュメントを携帯端末８１で閲覧することで、分析結果の提供を受けることができる。
【０１３６】
また、実施の形態１〜３に係る検体分析システムにあっては、分析結果のうちの一部の項目についてバリデートされ、他の項目についてはバリデートされなかった場合に、バリデートされた一部の項目の分析結果を提供するためのお電子メールが患者の携帯端末のメールアドレス宛に送信される。これにより、複数の項目のうちの一部についてしか分析結果の提供が許可されなかった場合に、分析結果全てが患者に提供されなくなることが防止され、許可された項目についての分析結果を患者に提供することができる。このため、医師は、提供された一部の項目の分析結果を診察に利用することができる。
【０１３７】
また、実施の形態１〜３に係る検体分析システムにあっては、分析結果がバリデートされた場合に、当該分析結果の患者への提供が許可され、分析結果がバリデートされなかった場合に、分析結果の患者への提供が許可されない構成としたので、信頼性が高く、医師の診察に有用な分析結果を患者に提供することが可能となる。
【０１３８】
また、実施の形態１〜３に係る検体分析システムにあっては、一度バリデートされなかった項目の分析結果が後にバリデートされた場合に、新たにバリデートされた項目の分析結果を患者に提供することができる。このため、医師は以前に提供された項目の分析結果と、新たに提供された項目の分析結果とを診察に利用することができる。
【０１３９】
また、実施の形態１及び２に係る検体分析システムにあっては、自動バリデート処理において信頼性判定条件に合致した分析結果が承認されるため、承認された分析結果は信頼性が高く、医師の診察に有用なものとすることができる。
【０１４０】
また、実施の形態１〜３に係る検体分析システムにあっては、手動バリデート処理により、オペレータが承認した信頼性の高い分析結果を被験者に提供することができ、医師は当該分析結果を被験者の診察に有効に利用することができる。
【０１４１】
（その他の実施の形態）
上記の実施の形態１〜３においては、検査情報管理装置２が、分析結果の患者への提供の可否を判断し、患者への提供が許可された分析結果を提供するための電子メールを、患者の携帯端末８１に送信する構成について述べたが、これに限定されるものではない。検体分析装置が、分析結果の患者への提供の可否を判断し、患者への提供が許可された分析結果を提供するための電子メールを、患者の携帯端末８１に送信する構成としてもよい。
【０１４２】
また、例えば図２２に示すような構成とすることもできる。図２２は、他の実施形態に係る分析結果提供システムの構成を示す模式図である。分析結果提供システム２００は、検査情報管理サーバ２０１と、携帯端末２０５と、メールサーバ２０６とを備えている。メールサーバ２０６は携帯電話網２０４に接続されており、携帯端末２０５は携帯電話網２０４を通じて他の携帯端末、メールサーバ２０６、及び検査情報管理サーバ２０１と通信可能である。検査情報管理サーバ２０１はインターネット２０３に接続されている。また、インターネット２０３には、複数の医療施設２０２ａ，２０２ｂ，２０２ｃが接続されている。これらの医療施設２０２ａ，２０２ｂ，２０２ｃには、検体分析装置が設置されており、各医療施設２０２ａ，２０２ｂ，２０２ｃに設置された検体分析装置と、検査情報管理サーバ２０１との間でデータ通信が可能である。検査情報管理サーバ２０１は、検査情報管理装置２，患者情報管理装置３，電子メールクライアント、及びウェブサーバの機能を有している。この検査情報管理サーバ２０１は、医療施設２０２ａ，２０２ｂ，２０２ｃにとってのクラウドサーバであり、医療施設２０２ａ，２０２ｂ，２０２ｃに設置された検体分析装置のためのオーダ情報を管理し、また、医療施設２０２ａ，２０２ｂ，２０２ｃに設置された検体分析装置によって得られた分析結果を管理する。かかる構成において、医療施設２０２ａ，２０２ｂ，２０２ｃにおいて患者の検体が分析され、その分析結果がバリデートされた場合に、検査情報管理サーバ２０１が、バリデートされた分析結果の患者への提供を許可し、バリデートされた分析結果を閲覧するためのＨＴＭＬドキュメントを作成して、検査情報管理サーバ２０１内の記憶領域に記憶する。また、検査情報管理サーバ２０１は、前記ＨＴＭＬドキュメントのＵＲＬを含む電子メールを作成し、当該電子メールを患者の携帯端末２０５のメールアドレス宛に送信する。このようにすることで、複数の医療施設２０２ａ，２０２ｂ，２０２ｃが、患者への分析結果の提供システムを容易に導入することができる。
【０１４３】
また、上述した実施の形態１〜３においては、検査情報管理装置２と患者情報管理装置３とを個別に設ける構成について述べたが、これに限定されるものではない。検査情報管理装置２の機能と、患者情報管理装置３の機能とを有する１つの装置を使用することもできる。
【０１４４】
また、上述した実施の形態１〜３においては、単一のコンピュータ２ａによりコンピュータプログラム２４ａの全ての処理を実行する構成について述べたが、これに限定されるものではなく、上述したコンピュータプログラム２４ａと同様の処理を、複数の装置（コンピュータ）により分散して実行する分散システムとすることも可能である。患者情報管理装置３、及び情報処理ユニット４２についても同様である。
【産業上の利用可能性】
【０１４５】
本発明に係る分析結果提供システム、検体分析システム、分析結果提供装置、検体分析結果の提供方法、及びコンピュータプログラムは、患者等の被験者から採取された血液又は尿等の検体を分析した結果を患者等に提供するための分析結果提供システム、検体を分析するための検体分析システム、分析結果提供装置、検体分析結果の提供方法、及びコンピュータプログラム等として有用である。
【符号の説明】
【０１４６】
１００，２００  分析結果提供システム
１０  検体分析システム
２  検査情報管理装置
２１ａ  ＣＰＵ
２１ｄ  ハードディスク
２４ａ  コンピュータプログラム
２４ｂ  電子メールクライアントプログラム
３  患者情報管理装置
４，５，６  検体分析装置
７  インターネット
８  携帯電話網
８１  携帯端末
９  メールサーバ
９１ａ  ＣＰＵ
９１ｄ  ハードディスク
９４ａ  電子メールサーバプログラム
９５  メールボックス
２０  ウェブサーバ
２０１ａ  ＣＰＵ
２０４ａ  ウェブサーバプログラム
【図１】
2013210937.tif 000003
【図２】
2013210937.tif 000004
【図３】
2013210937.tif 000005
【図４】
2013210937.tif 000006
【図５】
2013210937.tif 000007
【図６】
2013210937.tif 000008
【図７】
2013210937.tif 000009
【図８】
2013210937.tif 000010
【図９】
2013210937.tif 000011
【図１０】
2013210937.tif 000012
【図１１】
2013210937.tif 000013
【図１２】
2013210937.tif 000014
【図１３】
2013210937.tif 000015
【図１４】
2013210937.tif 000016
【図１５】
2013210937.tif 000017
【図１６】
2013210937.tif 000018
【図１７】
2013210937.tif 000019
【図１８】
2013210937.tif 000020
【図１９】
2013210937.tif 000021
【図２０】
2013210937.tif 000022
【図２１】
2013210937.tif 000023
【図２２】
2013210937.tif 000024